(57)【要約】【課題】排尿部近傍での吸収面積を狭めることなく装着者に対して適切な位置に容易に装着できる使い捨て吸収性物品を提供する。【解決手段】透液性表面シート２を内側にして不透液性裏面シート３側に凸形状となるように幅方向の中心線にて折り返した状態で、吸収体４が位置する端部近傍で互いに対向する透液性表面シート２同士を固着部にて接合して摘み部15を吸収性物品本体１の幅方向の中心線に沿って設ける。装着者が装着する際に、摘み部15を持って容易に装着させることができる。摘み部15が装着する際の目印になり、吸収性物品本体１と装着者の身体とのそれぞれの中心を合わせることで装着者に対して適切な位置に容易に装着できる。摘み部15を、前側部分に設けることで、装着時に装着者の排尿部近傍に位置する中央部分での吸収面積を狭めることもない。【選択図】図１
2011050772.tif 000002
【特許請求の範囲】
【請求項１】
透液性表面シート、不透液性裏面シート、および、前記透液性表面シートと前記不透液性裏面シートとの間に配設された吸収体を有し、幅方向両側と長手方向両端とが形成されるとともに、この長手方向に前側部分、中央部分および後側部分が順次形成された吸収性物品本体と、
前記前側部分と前記後側部分とのいずれか一方に、前記吸収性物品本体の幅方向の中心線に沿って設けられた摘み部とを具備し、
前記吸収体は、前記吸収性物品本体の長手方向両端よりも内側に両端部が位置し、
前記摘み部は、前記透液性表面シートを内側にして前記不透液性裏面シート側に凸形状となるように前記幅方向の中心線にて折り返した状態で、前記吸収体が位置している端部近傍で互いに対向する前記透液性表面シート同士を固着部にて接合して形成されている
ことを特徴とした使い捨て吸収性物品。
【請求項２】
吸収体は、
透液性表面シート側に位置する第１吸収体と、
不透液性裏面シート側に位置する第２吸収体とを備え、
前記各吸収体のいずれか一方の幅方向略中心にて、前側部分と後側部分とのいずれか一方に切欠部が切り欠き形成され、
摘み部は、前記透液性表面シートの前記切欠部に対応する部分を接合して形成されている
ことを特徴とした請求項１記載の使い捨て吸収性物品。
【請求項３】
吸収性物品本体の幅方向の略中心に沿って、不透液性裏面シートに形成された目印部を具備した
ことを特徴とした請求項１または２記載の使い捨て吸収性物品。
【請求項４】
吸収性物品本体の幅方向両側部のそれぞれに各一側部が接合され、各他側部が、弾性部材が配設された自由端状となる一対のカフス部を具備し、
前記各カフス部は、少なくとも摘み部側の端部が前記吸収性物品本体に接合されて前記弾性部材の収縮力が作用する接合部がそれぞれ形成された
ことを特徴とした請求項１ないし３いずれか一記載の使い捨て吸収性物品。
【発明の詳細な説明】
【技術分野】
【０００１】
本発明は、子供用、大人用、あるいは失禁用などの使い捨て吸収性物品に関する。
【背景技術】
【０００２】
従来、一般的に、使い捨て吸収性物品は、透液性表面シートと、不透液性裏面シートと、これら両シートの間に封着された吸収体とを有する吸収性物品本体が、略四角形状に形成されている。
【０００３】
そして、使い捨て吸収性物品の長手方向の端部からの漏れを防止するために、例えば、特願２００４−２２９５９９号明細書などに、吸収体の長手方向の両外側にそれぞれフラップ部を形成するとともに、吸収体の幅方向の両外側にそれぞれサイドフラップ部を形成し、幅方向中心線に沿って透液性表面シートを内側として吸収性物品本体を折り返し、フラップ部のいずれか一方の少なくとも幅方向の中心線を含む部分同士を互いに接合して接合部とする構成が提案されている。
【０００４】
また、排泄液である便を溜める便溜め機能を有する使い捨て吸収性物品として、幅方向に二等分する中心線で透液性表面シートを内側にして折り重ね、股下部で向かい合う透液性表面シートを互いに接合した使い捨ておむつが知られている（例えば、特許文献１参照。）。
【先行技術文献】
【特許文献】
【０００５】
【特許文献１】特開２０００−１１６７０５号公報（第３頁、図１−３）
【発明の概要】
【発明が解決しようとする課題】
【０００６】
しかしながら、上述の特願２００４−２２９５９９号明細書に提案された構成では、接合部をつまんで装着させようとした場合に、フラップ部が接合されているために接合部分の厚みが充分でなく、フラップ部が倒れたり折れ曲がったりしてつまめなくなってしまう場合がある。また、フラップ部が接合されているため、この接合部分が硬くなってしまい、装着時に違和感が生じるおそれがある。
【０００７】
さらに、上述の特許文献１に記載された使い捨て吸収性物品では、透液性表面シートの接合部分が股下部であるため、装着時に違和感を生じ、また、装着者の排尿部近傍の吸収面積が狭くなることで、排泄液の吸収が悪化してしまうという問題点を有している。
【０００８】
本発明は、このような点に鑑みなされたもので、排尿部近傍での吸収面積を狭めることなく装着者に対して適切な位置に容易に装着できる使い捨て吸収性物品を提供することを目的とする。
【課題を解決するための手段】
【０００９】
請求項１記載の使い捨て吸収性物品は、透液性表面シート、不透液性裏面シート、および、前記透液性表面シートと前記不透液性裏面シートとの間に配設された吸収体を有し、幅方向両側と長手方向両端とが形成されるとともに、この長手方向に前側部分、中央部分および後側部分が順次形成された吸収性物品本体と、前記前側部分と前記後側部分とのいずれか一方に、前記吸収性物品本体の幅方向の中心線に沿って設けられた摘み部とを具備し、前記吸収体は、前記吸収性物品本体の長手方向両端よりも内側に両端部が位置し、前記摘み部は、前記透液性表面シートを内側にして前記不透液性裏面シート側に凸形状となるように前記幅方向の中心線にて折り返した状態で、前記吸収体が位置している端部近傍で互いに対向する前記透液性表面シート同士を固着部にて接合して形成されているものである。
【００１０】
請求項２記載の使い捨て吸収性物品は、請求項１記載の使い捨て吸収性物品において、吸収体は、透液性表面シート側に位置する第１吸収体と、不透液性裏面シート側に位置する第２吸収体とを備え、前記各吸収体のいずれか一方の幅方向略中心にて、前側部分と後側部分とのいずれか一方に切欠部が切り欠き形成され、摘み部は、前記透液性表面シートの前記切欠部に対応する部分を接合して形成されているものである。
【００１１】
請求項３記載の使い捨て吸収性物品は、請求項１または２記載の使い捨て吸収性物品において、吸収性物品本体の幅方向の略中心に沿って、不透液性裏面シートに形成された目印部を具備したものである。
【００１２】
請求項４記載の使い捨て吸収性物品は、請求項１ないし３いずれか一記載の使い捨て吸収性物品において、吸収性物品本体の幅方向両側部のそれぞれに各一側部が接合され、各他側部が、弾性部材が配設された自由端状となる一対のカフス部を具備し、前記各カフス部は、少なくとも摘み部側の端部が前記吸収性物品本体に接合されて前記弾性部材の収縮力が作用する接合部がそれぞれ形成されたものである。
【発明の効果】
【００１３】
請求項１記載の発明によれば、透液性表面シートを内側にして不透液性裏面シート側に凸形状となるように幅方向の中心線にて折り返した状態で吸収体が位置している端部近傍で互いに対向する透液性表面シート同士を固着部にて接合して摘み部を吸収性物品本体の幅方向の中心線に沿って設けることで、装着者が装着する際に、摘み部を持って容易に装着させることができ、また、摘み部が、装着する際の目印になり、吸収性物品本体と装着者の身体とのそれぞれの中心を合わせることで装着者に対して適切な位置に容易に装着でき、かつ、摘み部を、前側部分、あるいは後側部分のいずれか一方に設けることで、装着時に排尿部近傍に位置する中央部分での吸収面積を狭めることもない。
【００１４】
請求項２記載の発明によれば、吸収体を構成する第１吸収体と第２吸収体とのいずれか一方に設けた切欠部に対応する部分を接合して摘み部を形成することで、摘み部に位置する吸収体の厚みを抑制でき、摘み部を形成しやすく、かつ、摘み部による装着時の違和感を抑制できて装着感が良好になり、また、吸収体は、装着時に排尿部近傍に位置する中央部分に位置する部分が切り欠かれていないので、吸収能力が低下することを防止できる。
【００１５】
請求項３記載の発明によれば、吸収性物品本体の幅方向の略中心に沿って、不透液性裏面シートに目印部を形成することで、吸収性物品本体の幅方向の中心位置が摘み部と目印部とで、より分かり易くなるとともに、摘み部の位置の確認もより容易になる。
【００１６】
請求項４記載の発明によれば、一対のカフス部の各一側部を吸収性物品本体の幅方向両側部のそれぞれに接合するとともに、弾性部材を配設した各他側部を自由端状とすることで、これらカフス部により両側方向への漏れを防止できるとともに、弾性部材の収縮力が接合部に作用することで摘み部側が立体形状となり、装着者への密着性を向上できる。
【図面の簡単な説明】
【００１７】
【図１】本発明の第１の実施の形態の使い捨て吸収性物品を示す斜視図である。
【図２】同上使い捨て吸収性物品を一部を切り欠いて示す展開平面図である。
【図３】図２のＩ−Ｉ断面図である。
【図４】図２のII−II断面図である。
【図５】本発明の第２の実施の形態の使い捨て吸収性物品を一部を切り欠いて示す展開平面図である。
【図６】図５のIII−III断面図である。
【図７】図５のIV−IV断面図である。
【図８】図５のＶ−Ｖ断面図である。
【図９】同上使い捨て吸収性物品の他の実施の形態を一部を切り欠いて示す展開平面図である。
【図１０】図９のVI−VI断面図である。
【図１１】図９のVII−VII断面図である。
【図１２】本発明の第３の実施の形態の使い捨て吸収性物品を示す斜視図である。
【図１３】同上使い捨て吸収性物品のさらに他の実施の形態を示す斜視図である。
【発明を実施するための形態】
【００１８】
以下、本発明の第１の実施の形態の使い捨て吸収性物品の構成を図１ないし図４を参照して説明する。
【００１９】
図１および図２は、使い捨て吸収性物品を示し、この使い捨て吸収性物品は、長手方向および幅方向を有する略四角形状の吸収性物品本体１を備えている。さらに、この吸収性物品本体１は、透液性表面シート２、不透液性裏面シート３、これら各シート２，３の間に配設された液保持性を有する吸収体４を有し、図２に示す展開状態で幅方向の中心部を中心として線対称の左右対称に形成されて細長略四角形状を呈している。また、この吸収性物品本体１の吸収体４の周囲には、透液性表面シート２と不透液性裏面シート３とが接合されたフラップ部５が延在している。そして、この吸収性物品本体１の透液性表面シート２には、一対のカフス部としてのバリアカフス６，７が両側部に沿って配設されている。
【００２０】
さらに、この吸収性物品本体１には、長手方向に沿って、装着者の腹側となる前側部分11、脚回りに位置する切欠凹部12を両側に有し装着者の股下部分に位置する中央部分13、および、装着者の背側となる後側部分14が順次形成されている。そして、この吸収性物品本体１には、幅方向の中心線CLに沿って、バリアカフス６，７間に摘み部15が設けられている。
【００２１】
透液性表面シート２は、例えば、織布、不織布、多孔性フィルム、合成繊維などにて形成され、尿などの排泄物を吸収体４に透過できるように液透過性を有している。
【００２２】
不透液性裏面シート３は、上面周縁部が透液性表面シート２の下面周辺部に接着剤などで接合されている。また、この不透液性裏面シート３は、尿が透過できない液不透過性を有し、例えばポリエチレン樹脂のようなポリオレフィンなどの合成樹脂のフィルム状シートにて成形されている。
【００２３】
吸収体４は、長手方向の中心部を中心として線対称に配設され、幅方向の中心部を中心として線対称の形状で細長四角形状に形成されている。また、吸収体４は、図３に示すように、透液性表面シート２の下面中央部と不透液性裏面シート３の上面中央部との間に扁平状で、図２に示すように、吸収性物品本体１の少なくとも長手方向中央域を含む位置に配設されている。さらに、この吸収体４は、尿などの排泄物を吸収できる、例えばパルプを主材料として一部に高分子吸収体などの物質を含んだ材料にて形成されている。そして、この吸収体４は、吸収性物品本体１よりも長手寸法および幅寸法が小さく、かつ、吸収性物品本体１の外形形状に略沿って形成されている。したがって、吸収体４の長手方向両端および幅方向両側のそれぞれが、フラップ部５により囲まれている。
【００２４】
フラップ部５は、吸収体４の全体の周囲に額縁状に形成されている。
【００２５】
バリアカフス６，７は、吸収性物品本体１の長手方向に沿ってそれぞれ長手状に形成されている。バリアカフス６は、図２に示す左側部が、吸収性物品本体１の左側部に接合され、右側部が、弾性部材16を配設した自由端状に形成されている。同様に、バリアカフス７は、図２に示す右側部が、吸収性物品本体１の右側部に接合され、左側部が、弾性部材17を配設した自由端状に形成されている。また、これらバリアカフス６，７は、自由端側が吸収性物品本体１の幅方向に互いに離間されている。さらに、これらバリアカフス６，７の長手方向両端部は、図１および図２に示すように、それぞれ透液性表面シート２の長手方向両端部にそれぞれ接合された接合部21，22，23，24を形成している。
【００２６】
弾性部材16，17は、例えば糸ゴムなどの伸縮自在の部材であり、吸収体４の長手方向両端間に連続し、かつ、長手方向に伸張された状態で配設されている。このため、これら弾性部材16，17の収縮力が、各接合部21，22，23，24に作用し、各バリアカフス６，７が、特に中央部分13で、図３に示すように立体形状に立ち上がるように構成されている。
【００２７】
そして、摘み部15は、使い捨て吸収性物品の装着時の摘みおよび目印となるもので、図２に示す前側部分11と後側部分14とのいずれに設けられていてもよいが、本実施の形態では、便宜上、前側部分11に設けられているものとして以下説明する。すなわち、摘み部15は、図１、図２および図４に示すように、吸収性物品本体１を不透液性裏面シート３側に突出するように、言い換えると、透液性表面シート２を内側にして不透液性裏面シート３側に凸形状（断面略Ｕ字状）となるように、幅方向の中心線CLにて折り返した状態で、前側部分11に位置する吸収体４の端部近傍で互いに対向する透液性表面シート２同士を固着部26にて接合して形成されている。
【００２８】
ここで、摘み部15の突出量は大きい方が摘みやすく、また、目印として確認しやすい一方で、大きくしすぎると、装着時に違和感が生じ、また、吸収体４による吸収面積が小さくなってしまう。このため、摘み部15は、摘みおよび目印としての機能を確保しつつ、装着時に違和感がなく、さらに吸収体４による吸収面積を広く取るために、突出量を小さく抑えた方が好ましい。したがって、少なくとも中央部分13に位置する吸収体４が、摘み部15を形成する折り返しによる影響を受けない突出量とすることが望ましい。例えば、摘み部15の頂点部分の突出量としては、この摘み部15が設けられている前側部分11あるいは後側部分14の吸収体４の長手方向寸法に対して１／１０〜１／４、幅方向寸法に対して１／２０〜１／５の範囲とすることが好ましい。
【００２９】
また、摘み部15を形成する固着部26は、例えばヒートシール、ホットメルト接着、あるいは超音波接着など、いずれの方法で形成しても構わないが、この固着部26には吸収体４が位置しているので、ホットメルト接着剤を使用することが好ましい。
【００３０】
次に、上記第１の実施の形態の作用効果を説明する。
【００３１】
使い捨て吸収性物品の製造の際には、図２に示す展開状態から、吸収性物品本体１を不透液性裏面シート３側に突出するように、幅方向の中心線CLにて折り返し、前側部分11に位置する吸収体４の端部近傍で互いに対向する透液性表面シート２同士を固着部26にて接合して、吸収性物品本体１の幅方向の中心線CLに沿って摘み部15を形成する。
【００３２】
そして、この摘み部15の形成により、装着者が装着する際に、摘み部15を持って容易に装着させることができるとともに、この摘み部15が、装着する際の目印になり、吸収性物品本体１と装着者の身体とのそれぞれの中心を合わせることで装着状態での位置ずれを防止し、装着者に対して適切な位置に容易に装着できる。
【００３３】
この結果、使い捨て吸収性物品の装着者に対する装着状態での位置ずれに起因する漏れなどを確実に防止できる。
【００３４】
また、摘み部15を、前側部分11に設けることで、装着時に装着者の排尿部近傍に位置する中央部分13での吸収面積を狭めることもない。
【００３５】
さらに、摘み部15は、吸収体４を折り返して形成しているので、吸収性物品本体１の他の部分と比較して厚みがあり、摘み易い。
【００３６】
そして、バリアカフス６，７の各一側部を吸収性物品本体１の幅方向両側部のそれぞれに接合するとともに、弾性部材16，17を配設した各他側部を自由端状とすることで、これらバリアカフス６，７により両側方向への漏れを防止できるとともに、弾性部材16，17の収縮力が接合部21，23に作用することで摘み部15側である前側部分11が立体形状となり、装着者への密着性を向上できる。
【００３７】
なお、上記第１の実施の形態において、摘み部15は、吸収体４が折り返されて形成されているので、厚みが吸収性物品本体１の他の部分の倍となるから、固着部26周辺の吸収体４の厚みを予め他の部分の厚みよりも薄くし、摘み部15の厚みが必要以上に大きくならないように構成してもよい。
【００３８】
次に、第２の実施の形態を図５ないし図８を参照して説明する。なお、上記第１の実施の形態と同様の構成および作用については、同一符号を付してその説明を省略する。
【００３９】
この第２の実施の形態の使い捨て吸収性物品は、吸収体４が、第１吸収体としての上側吸収体31と第２吸収体としての下側吸収体32とを備え、摘み部15が設けられている吸収性物品本体１の部分、本実施の形態では前側部分11にて、上側吸収体31に切欠部33が設けられているものである。
【００４０】
各吸収体31，32のそれぞれは、図６ないし図８に示すように厚みが薄く形成され、上側吸収体31が透液性表面シート２側に位置し、下側吸収体32が不透液性裏面シート３側に位置するように、互いに重ね合わされて吸収体４をなしている。
【００４１】
また、切欠部33は、図５および図８に示すように、前側部分11に位置する上側吸収体31の一端部から、幅方向の中心線CLに沿って凹状に切り欠き形成されている。さらに、この切欠部33は、バリアカフス６，７間の幅寸法よりも小さい幅寸法に形成されている。
【００４２】
そして、摘み部15は、切欠部33の位置にて、吸収性物品本体１を不透液性裏面シート３側に突出するように幅方向の中心線CLにて折り返した状態で、前側部分11に位置する吸収体４の端部近傍で互いに対向する透液性表面シート２同士を固着部26にて接合して形成される。
【００４３】
上述のように摘み部15を形成することで、上記第２の実施の形態でも、上記第１の実施の形態と同様の作用効果を奏することができる。
【００４４】
また、上側吸収体31に設けた切欠部33に対応する部分を接合して摘み部15を形成することで、吸収体４自体を折り返して摘み部15を形成する場合と比較して、摘み部15に位置する吸収体４の厚みを抑制でき、摘み部15を形成しやすく、かつ、摘み部15による装着時の違和感を抑制できて装着感が良好になる。
【００４５】
さらに、吸収体４は、装着時に装着者の排尿部近傍に位置する中央部分13に位置する部分が切り欠かれていないので、吸収能力が低下することを防止できる。
【００４６】
なお、上記第２の実施の形態において、図９ないし図１１に示すように、摘み部15が形成される切欠部33を下側吸収体32に設けても、上記第２の実施の形態と同様の作用効果を奏することができる。
【００４７】
次に、第３の実施の形態を図１２を参照して説明する。なお、上記各実施の形態と同様の構成および作用については、同一符号を付してその説明を省略する。
【００４８】
この第３の実施の形態の使い捨て吸収性物品は、摘み部15に目印部35が設けられているものである。この目印部35は、吸収性物品本体１の幅方向の中心線CLに沿って、不透液性裏面シート３に形成されている。
【００４９】
なお、この目印部35は、幅狭に形成すると、製造時に摘み部15の位置と目印部35の位置とが幅方向にずれてしまう場合があり、この際、目印部35が吸収性物品本体１の中心位置から幅方向のいずれかの側にずれてしまうおそれがあるので、ある程度幅広に形成することが好ましい。本実施の形態では、目印部35の幅寸法を、摘み部15の突出量の１／２以上の幅寸法とし、かつ、目印部35が、摘み部15の頂点を含むように設けられている。
【００５０】
また、目印部35が設けられる不透液性裏面シート３としては、例えばポリエチレンなどのフィルム状シートで形成するほかに、フィルム状シートの下側、すなわち透液性表面シート２と反対側に不織布を貼り合わせてラミネート加工する場合もあるが、この場合、不織布に目印部35を設けると見にくい場合があるため、いずれの場合でもフィルム状シートに目印部35を設ける方が好ましく、さらに、不織布をラミネート加工した不透液性裏面シートの場合でも、不織布の上から目印部35を確認できるように形成する。
【００５１】
そして、上記第３の実施の形態によれば、上記各実施の形態と同様に、摘み部15を、吸収性物品本体１を不透液性裏面シート３側に突出するように幅方向の中心線CLにて折り返した状態で、前側部分11に位置する吸収体４の端部近傍で互いに対向する透液性表面シート２同士を固着部26にて接合して形成することで、上記各実施の形態と同様の作用効果を奏することが可能になる。
【００５２】
また、吸収性物品本体１の幅方向の略中心に沿って、不透液性裏面シート３に目印部35を形成することで、吸収性物品本体１の幅方向の中心位置が摘み部15と目印部35とで、より分かり易くなるとともに、摘み部15の位置の確認もより容易になる。
【００５３】
さらに、目印部35の幅寸法を、摘み部15の突出量の１／２以上の幅寸法とすることで、製造時に摘み部15の位置と目印部35の位置とが幅方向にずれることがなく、目印部35を吸収性物品本体１の中心位置に確実に位置させることができる。
【００５４】
そして、摘み部15の頂点を含むように目印部35を設けることで、摘み部15をより容易に確認できる。
【００５５】
なお、上記第３の実施の形態において、目印部35は、吸収性物品本体１の幅方向の略中心に沿って形成されていれば、例えば摘み部15の頂点を挟むように幅方向の中心を挟んで幅方向に対称に配設することなども可能である。この場合には、摘み部15の両側いずれにも目印部35が配設されているので吸収性物品本体１の中心位置および摘み部15を確認し易く、特に、図１３に示すように、摘み部15の両側壁部分に目印部35が位置していると、摘み部15を目視確認しやすくなり、摘み部15の摘み易さがより向上する。
【００５６】
また、上記各実施の形態において、使い捨て吸収性物品としては、例えばアウタとして使用するパンツ型おむつ、展開型おむつ、あるいは、アウタや下着などを着用した際にインナとして使用するパッド型おむつなどがあり、そのいずれに限定されるものではないが、特に、パッド型おむつはアウタのように装着位置が定まらず、最適な位置で装着させることが容易でなく、位置ずれにより漏れの原因となることがあるので、上記各実施の形態の摘み部15などを形成すると効果的である。
【００５７】
さらに、摘み部15を形成する固着部26は、例えば透液性表面シート２を介して吸収体４を固着するように構成してもよい。
【００５８】
そして、吸収性物品本体１の両側部からの漏れを確実に防止できれば、バリアカフス６，７を設けない構成、あるいは、バリアカフス６，７に代えて、切欠凹部12の周囲に弾性部材を設けて立体ギャザ形状とする構成なども可能である。
【符号の説明】
【００５９】
１    吸収性物品本体
２    透液性表面シート
３    不透液性裏面シート
４    吸収体
６，７    カフス部としてのバリアカフス
11    前側部分
13    中央部分
14    後側部分
15    摘み部
16，17    弾性部材
21，23    接合部
26    固着部
31    第１吸収体としての上側吸収体
32    第２吸収体としての下側吸収体
33    切欠部
35    目印部
CL    中心線
【図１】
2011050772.tif 000003
【図２】
2011050772.tif 000004
【図３】
2011050772.tif 000005
【図４】
2011050772.tif 000006
【図５】
2011050772.tif 000007
【図６】
2011050772.tif 000008
【図７】
2011050772.tif 000009
【図８】
2011050772.tif 000010
【図９】
2011050772.tif 000011
【図１０】
2011050772.tif 000012
【図１１】
2011050772.tif 000013
【図１２】
2011050772.tif 000014
【図１３】
2011050772.tif 000015